(57)【要約】【課題】  小型で制御系の信号へのノイズを抑えた照明装置を提供する。【解決手段】  円筒状の光源と、一部に開口を有するように前記光源を囲み、前記光源から照射された光の一部を前記開口の方向へ反射する反射部材と、前記光源へ流す電流を制御する第１のＩＧＢＴと、外装カバーと、を有し、前記第１のＩＧＢＴは、前記反射部材と前記外装カバーによって形成される空間の、前記光源の軸方向と平行な方向における略中央の位置に配置されている。【選択図】  図４
2017068068.tif 000002
【特許請求の範囲】
【請求項１】
円筒状の光源と、
一部に開口を有するように前記光源を囲み、前記光源から照射された光の一部を前記開口の方向へ反射する反射部材と、
前記光源へ流す電流を制御する第１のＩＧＢＴと、
外装カバーと、を有し、
前記第１のＩＧＢＴは、前記反射部材と前記外装カバーによって形成される空間の、前記光源の軸方向と平行な方向における略中央の位置に配置されていることを特徴とする照明装置。
【請求項２】
前記光源から照射された光及び前記反射部材によって前記開口の方向へ反射された光を透過する光学パネルを有することを特徴とする請求項１に記載の照明装置。
【請求項３】
前記光学パネルを透過した光の特性を変化させる第１の光学アクセサリーが取り付けられたことを検知する第１の検知部と、
前記光学パネルを透過した光の特性を前記第１の光学アクセサリーとは異なるように変化させる第２の光学アクセサリーが取り付けられたことを検知する第２の検知部と、をさらに有し、
前記第１のＩＧＢＴ、前記第１の検知部及び前記第２の検知部は、前記反射部材と前記外装カバーによって形成される空間において、前記光源の軸方向と平行な方向に並ぶように配置されていることを特徴とする請求項２に記載の照明装置。
【請求項４】
前記光源を発光させるためのトリガーとなる高電圧をかける制御を行う第２のＩＧＢＴをさらに有し、
前記第２のＩＧＢＴは、前記光源と前記光学パネルを結ぶ直線上であって前記光源よりも前記光学パネルから離れた位置に配置された基板に実装されていることを特徴とする請求項２または３に記載の照明装置。
【請求項５】
前記第１のＩＧＢＴは、前記基板の前記第２のＩＧＢＴが実装されている面とは異なる面に実装されていることを特徴とする請求項４に記載の照明装置。
【請求項６】
前記照明装置は、撮像装置に着脱可能に装着するための接続部が設けられた第１の筐体と、
前記第１の筐体に対して相対的に回動可能な第２の筐体と、からなり、
前記第１のＩＧＢＴと前記第２のＩＧＢＴは、前記第２の筐体の中に配置されていることを特徴とする請求項５に記載の照明装置。
【発明の詳細な説明】
【技術分野】
【０００１】
本発明は、ストロボ装置などの照明装置に関するものである。
【背景技術】
【０００２】
従来デジタルスチルカメラ等の撮像装置に使用する照明装置において、比較的大きな電気部品を制御部に配置することでヘッド部の小型化を図っていた。
【０００３】
例えば、特許文献１では、制御部側の回路基板と電池ケースに囲まれた空間に、キセノン管に高電圧をかけると共に大電流を流し発光制御を行うＩＧＢＴ及びキセノン管を発光させるトリガー電圧をかけるトリガーＩＧＢＴを配置する方法が開示されている。ＩＧＢＴとは、Ｉｎｓｕｌａｔｅｄ  Ｇａｔｅ  Ｂｉｐｏｌａｒ  Ｔｒａｎｓｉｓｔｏｒの略で、絶縁ゲート型バイポーラトランジスタを示す。
【先行技術文献】
【特許文献】
【０００４】
【特許文献１】特開２０１２−１５５０２５号公報
【発明の概要】
【発明が解決しようとする課題】
【０００５】
しかしながら、特許文献１に開示された技術では、制御部に配置したＩＧＢＴからヘッド部のキセノン管まで高電圧に耐えうる太いハーネスが必要であり、ハーネスの取り回し経路を考慮する必要がある為、装置の小型化に制限が設けられる。また、高電圧用ハーネスは制御に関わるワイヤーハーネスと同経路を通るため、ワイヤーハーネスに対してノイズによる影響を与えてしまうというデメリットがある。
【０００６】
そこで本発明は、小型で制御系の信号へのノイズを抑えた照明装置を提供することを目的とする。
【課題を解決するための手段】
【０００７】
上記目的を達成するために、本発明に係る照明装置は、円筒状の光源と、一部に開口を有するように前記光源を囲み、前記光源から照射された光の一部を前記開口の方向へ反射する反射部材と、前記光源へ流す電流を制御する第１のＩＧＢＴと、外装カバーと、を有し、前記第１のＩＧＢＴは、前記反射部材と前記外装カバーによって形成される空間の、前記光源の軸方向と平行な方向における略中央の位置に配置されていることを特徴とする。
【発明の効果】
【０００８】
本発明によれば、小型で制御系の信号へのノイズを抑えた照明装置を提供することができる。
【図面の簡単な説明】
【０００９】
【図１】本発明に係るストロボ装置の外観斜視図である。
【図２】本発明に係る制御部の正面側から見た分解斜視図である。
【図３】本発明に係るストロボ装置の縦断面図である。
【図４】本発明の第１の実施形態に係るヘッド部の分解斜視図である。
【図５】本発明の第１の実施形態に係る発光ユニットの斜視図である。
【図６】本発明の第１の実施形態に係るヘッド部の断面図である。
【図７】本発明の第１の実施形態の変形例に係るヘッド部の分解斜視図である。
【図８】バウンスアダプター８００を示す図である。
【図９】カラーフィルター９００を示す図である。
【発明を実施するための形態】
【００１０】
以下に、本発明の好ましい実施の形態を、添付の図面に基づいて詳細に説明する。各図において、同一の部材については同一の参照番号を付し、重複する説明は省略する。
【００１１】
（第１の実施形態）
まず、図１を参照して、本発明の第１の実施形態に係る照明装置であるストロボ装置１の外観について説明する。図１は、本実施形態に係るストロボ装置１の外観斜視図であり、図１（ａ）はストロボ装置１を光学パネル４が配置されている正面側から見た図、図１（ｂ）はストロボ装置１を背面側（操作部側）から見た図をそれぞれ示す。
【００１２】
ストロボ装置１は、大きく分けて、上部側のヘッド部２（第２の筐体）と下部側の制御部３（第１の筐体）とから構成されている。ヘッド部２は、光学パネル４の内側に光源である円筒状のキセノン管を備え、旋回動作により光学パネル４からの照射光の照射方向を変化させる所謂バウンス機能を有する。またヘッド部２は、ヘッドアッパーカバー５とヘッドロアーカバー１２と円筒形状を成したバウンスケース６とを備えて構成されている。ヘッドアッパーカバー５およびヘッドロアーカバー１２は、バウンスケース６に対して相対的に上下方向（Ｚ方向）における旋回動作が可能である。バウンスケース６は、制御部３に対して相対的に水平方向（ＸＹ面内方向）における旋回動作が可能である。このように、ヘッド部２は、制御部３に対して相対的に回動可能であり、光源の照射方向を変化させるように動作する。また制御部３は、ヘッド部２を支持してヘッド部２の動作を制御する。
【００１３】
外装部材であるリアカバー１３は、制御部３の背面側に設けられている。リアカバー１３には、表示部１４、電源スイッチ１５、操作ボタン１６、ダイヤル１７等の操作部が配置され、各種の機能設定を行うことができる。１０は、制御部３の内部に電源用電池を装填するための開閉可能な電池蓋である。下面側の外装部材であるボトムカバー８には、不図示の撮像装置であるカメラのアクセサリシューに着脱可能に装着するための接続部である脚部９が備えられている。フロントカバー７は、制御部３の正面側の外装部材である。フロントカバー７の中央部には、その前方に突出したバルジ部７ａ（膨らみ部）が設けられている。バルジ部７ａの下半分には、光パルス通信用、および、低輝度時にカメラの焦点検出を補助する補助光照射用の窓１１が配置されている。
【００１４】
以上のように、本実施形態では、制御部３のバルジ部７ａが設けられている側を正面側（前面側）、表示部１４や操作部が設けられている側を背面側（後面側）とし、制御部３の脚部９が設けられている側を下面側としている。そして、図１に示したＸ方向は、制御部３の前後方向、Ｙ方向は制御部３の左右方向、Ｚ方向は制御部３の上下方向に対応している。なお、以下では特に説明がない限り、ストロボ装置１の前後方向、左右方向、上下方向は、制御部３の前後方向、左右方向、上下方向と等しいものとする。
【００１５】
次に、図２及び図３を参照して、制御部３の内部構成について説明する。図２は、制御部３からフロントカバー７およびボトムカバー８を取り外して正面側から見た、制御部３の内部を示す分解斜視図である。図３は、ストロボ装置１の左右方向に直交する断面を示す断面図である。
【００１６】
制御部３の内部中央には、バッテリーケース２４が設けられている。バッテリーケース２４の電池収納部２４ａには、電源用の電池３３（本実施形態では、四本の単三型電池）が略四角形状の配置で収納される。電池収納部２４ａの上方には、ヘッド部２から突出するバウンスケースの軸部６ａとの間において、所定の空間領域３５が設けられている。空間領域３５は、ワイヤーハーネス２６を弛緩させた状態で収納するために設けられている。ワイヤーハーネス２６は、後述のメイン基板３２、および、基板２５に接続される。このとき、ワイヤーハーネス２６がその長さに余裕を持たずに緊張状態を有して接続された場合、ヘッド部２の左右旋回動作により捩じり力を受け、断線する可能性がある。このため、ワイヤーハーネス２６を空間領域３５内にて左右旋回動作の影響を受けないように十分な弛みを持たせて収納する。
【００１７】
バッテリーケース２４の背面側、すなわちリアカバー１３側には、デジタル系の回路を備えたメイン基板３２が配置されており、メイン基板３２にはＣＰＵ３１が実装されている。またメイン基板３２には、リアカバー１３の上に配置された電源スイッチ１５等の各種の操作部材に対応したスイッチ素子類も実装される。表示部１４の内側には、ＬＣＤ２９（液晶ディスプレイ）が配置される。バッテリーケース２４の正面側および下面側には、それぞれ、昇圧トランス（不図示）を備えた昇圧回路や不図示のＦＥＴ（電界効果トランジスタ）を備えた発光制御回路を有する基板２５（第一サブ基板）および基板３４（第二サブ基板）が取り付けられている。
【００１８】
バッテリーケース２４の正面側には、台座２３及び基板２５が互いに重ならないように取り付けられている。台座２３の正面側には、台座２３に一体形成された複数の係止爪２３ａによって、無線モジュール２０が取り付けられている。無線モジュール２０の上端側には、無線通信用のアンテナ２０ａ（チップアンテナ）が実装されている。また無線モジュール２０の下端側のコネクタ（不図示）には、メイン基板３２と繋がるフレキシブル基板（不図示）が接続されている。また、フロントカバー７の下部に設けられた窓１１の向かいの位置に受光センサ２２と投光ユニット３０が並列して配置されている。窓１１は投光ユニット３０と対向する位置にプリズムが形成され、投光ユニット３０から射出される単一のパターンを複数に光線分割して投影する。
【００１９】
次に、図３〜６を参照して、ヘッド部２の内部構成について説明する。図４は、ヘッド部２からヘッドアッパーカバー５および、ヘッドロアーカバー１２を取り外してヘッド部２の内部を示す分解斜視図である。図４（ａ）は、ヘッド部２を上面側から見た図、図４（ｂ）は、ヘッド部２を下面側から見た図をそれぞれ示す。図５は、発光ユニット５３を下面から見た図である。図６は、ストロボ装置１のヘッド部２の左右方向に直交する断面を示す断面図である。
【００２０】
本実施形態におけるストロボ装置１は、光学パネル４と光源であるキセノン管５２の相対距離変化により照射角を変化させる電動ズーム機能を備えている。ヘッド部２内部の大部分は、電動ズーム機能の機構を構成する発光ユニット５３で占められている。発光ユニット５３の構造体であるフード５６の上面には、スクリュー（不図示）を備えたモーターユニット１８が取り付けられている。反射傘ホルダー５７には、光源であるキセノン管５２、および、キセノン管５２の光を前方へ反射させる反射傘５１が取り付けられている。反射傘ホルダー５７は、スクリュー（不図示）の回転に連動して光学パネル４とキセノン管５２の相対距離を変化させる。フード５６は、反射傘５１で発光ユニット５３の照射方向へと反射されなかった光を発光ユニット５３の照射方向へと反射する。そのため、フード５６は、効率よく光を発光ユニット５３の照射方向へと反射できるように、発光ユニット５３の照射光の光軸に直交する平面における開口が光学パネル４に近づくほど大きくなる形状になっている。以上のように、フード５６は、一部に開口を有するようにキセノン管５２を囲み、キセノン管５２から照射された光の一部を開口の方向へ反射する反射部材といえる。
【００２１】
フード５６の背面（バウンスケース６側）には、キセノン管５２と接続されたヘッド基板６０が取り付けられている。言い換えると、ヘッド基板６０は、キセノン管５２と光学パネル４を結ぶ直線上であってキセノン管５２よりも光学パネル４から離れた位置に配置されている。ヘッド基板６０に関する構成は詳細を後述する。発光ユニット５３の上部には、ワイドパネル５５が収納されている。ワイドパネル５５は、反射傘ホルダー５７の移動だけでは得られない、より広角の照射角を得るための光拡散性を有する光学部材である。ワイドパネル５５は、ワイドパネルホルダー５４に軸支されるとともに、図６中において左旋方向の付勢力を受けている。ワイドパネル５５の使用時には、ワイドパネル５５のみが発光ユニットケース５の収納部内より引き出され、前述の付勢力により光学パネル４の前面に覆いかぶさるように配置される。円筒形状を有するバウンスケース６の内部には、コンデンサ２８（メインコンデンサ）が設けられている。すなわち、コンデンサ２８は、ヘッド部２を制御部３に対して相対的に上下方向（Ｚ方向）に回動させる際の回動軸上に配置されている。また、コンデンサ２８は、後述するヘッド部２と制御部３の連結部近傍に配置されている。コンデンサ２８は、ヘッド部２に収納され、光源としてのキセノン管５２を発光させるための電荷を蓄積する。この蓄積電荷により、キセノン管５２の発光に必要な高電圧が生成される。制御部３と対向するバウンスケース６の下面には、左右旋回用（ＸＹ平面内旋回用）の軸部６ａが形成されている。
【００２２】
ヘッド基板６０に接続された不図示の配線類は、バウンスケース６の円筒中心を回転中心とするヘッドアッパーカバー５とバウンスケース６間の不図示の回転部を通って、コンデンサ収納部６ｃに導かれる。これらの配線類は、コンデンサ２８に接続される配線とともにワイヤーハーネス２６を構成する。ワイヤーハーネス２６は、軸部６ａの中央に形成された穴部６ｂからヘッド部２の外側に引き出される。ワイヤーハーネス２６の先端には、不図示のコネクタが取り付けられている。このコネクタは、ヘッド部２の内部に設けられたヘッド基板６０等の回路と制御部３の内部に設けられた各基板（制御基板）とを電気的に接続する。このようにワイヤーハーネス２６は、ヘッド部２に設けられたキセノン管５２（光源）およびコンデンサ２８等の電子部品と、制御部３に設けられた制御基板とを電気的に接続する。空間領域３５は、ワイヤーハーネス２６を弛緩状態で収納する。また、バウンスケース６の軸部６ａの先端には、回転板２７が取り付けられている。ヘッド部２の左右旋回を所定の角度で規制する役割を有する。また、回転板２７は、制御部３からのヘッド部２の抜け止めの役割を有し、ヘッド部２と制御部３の連結部といえる。
【００２３】
次にヘッド基板６０の構成について説明する。発光ユニット５３の下部には、バウンスアダプター（以下、ＢＡ）検知基板１０１及びカラーフィルター（以下、ＣＦ）検知基板１０２が配置され、各基板はヘッド基板６０と半田によって接続されている。図８（ａ）はＢＡ８００を示す外観図、図９（ａ）はＣＦ９００を示す外観図である。また、図８（ｂ）は光学パネル４側からストロボ装置１のヘッド部２にＢＡ８００を装着した図、図８（ｂ）は光学パネル４側からストロボ装置１のヘッド部２にＣＦ９００を装着した図である。
【００２４】
光学パネル４を透過した光の特性を変化させる光学アクセサリーであるＢＡ８００が光学パネル４側からヘッド部２へ装着されることにより、ＢＡ８００の突起部８０１によって図４（ｂ）に示すＢＡ検知スイッチ１０３が押される。同様に、光学パネル４を透過した光の特性を変化させる光学アクセサリーであるＣＦ９００が光学パネル４側からヘッド部２へ装着されることにより、ＣＦ９００の突起部９０１によって図４（ｂ）に示すＣＦ検知スイッチ１０４が押される。ＢＡ８００とＣＦ９００は、光学パネル４を透過した光の特性を変化させる光学アクセサリーである点は共通であるが、ＢＡ８００を透過した光とＣＦ９００を透過した光とは光の特性が異なる。
【００２５】
ＢＡ検知スイッチ１０３またはＣＦ検知スイッチ１０４が押されると、検知部であるＢＡ検知基板１０１及びＣＦ検知基板１０２に実装された回路が通電することで、ＢＡまたはＣＦの装着を検知できる。ＢＡ検知基板１０１とＣＦ検知基板１０２は発光ユニット５３の長手方向（キセノン管５２の軸方向）と平行な方向（左右方向）に、所定の距離を保ち配置される。なお、ＢＡ検知基板１０１とＣＦ検知基板１０２の距離が近い場合、各検知スイッチの距離も近くなり誤検知する可能性が高まる。そのため、ＢＡ検知スイッチ１０３とＣＦ検知スイッチ１０４は距離を離して配置することが好ましい。
【００２６】
また、ヘッド基板６０には発光制御に付随する回路、コネクタ１０５、トリガーＩＧＢＴ１０７、メインＩＧＢＴ１０６が実装されている。このとき、メインＩＧＢＴ１０６は、ヘッド基板６０のトリガーＩＧＢＴ１０７が実装されている面とは異なる面に実装されている。コネクタ１０５はバウンスケース６側に集約し実装され、前述した不図示の配線類と接続される。トリガーＩＧＢＴ１０７はキセノン管５２を発光させるためのトリガーとなる高電圧をかける制御を行う。
【００２７】
次にメインＩＧＢＴ１０６の構成について説明する。メインＩＧＢＴ１０６はキセノン管５２に流す電流を制御する電子部品であり、ヘッド基板６０対し半田による接続がされている。また、発光ユニット５３の下側略中央において、フード５６の開口部の長手方向に直交する方向とメインＩＧＢＴ１０６の長手方向が平行になるように配置されている。すなわち、メインＩＧＢＴ１０６は、発光ユニット５３の左右方向において、ＢＡ検知基板１０１とＣＦ検知基板１０２との間に配置される。フード５６は、キセノン管５２がヘッド基板６０側に最も近づいた時にテレ側の配光となり、この時のキセノン管５２からの光線を遮らないように、ラッパ形状になっている。そのため、キセノン管５２の上下（フード５６と外装カバーであるヘッドアッパーカバー５及びヘッドロアーカバー１２の間）には空間領域１０８と空間領域１０９が存在する。本実施形態では、反射傘５１の開口を小さくし、光学パネル４のパワーを強くしたことによって、光学パネル４とキセノン管５２の相対距離変化量を抑えることを可能にしている。そのため、従来製品に比べ空間領域１０８と空間領域１０９が広い。そこで、本実施形態では、空間領域１０９にメインＩＧＢＴ１０６を配置している。また、空間領域１０８にはモーターユニット１８を配置し、ヘッド部２内の空間を有効活用することでヘッド部２の小型化が可能となる。
【００２８】
また、上述したように、体積の大きいメインＩＧＢＴ１０６をヘッド部２内に配置できるので、メインＩＧＢＴ１０６とトリガーＩＧＢＴ１０７をヘッド部２に集約し配置することで、発光制御に関わる高電圧回路をヘッド部２に集約できる。これにより、制御部３からヘッド部２にかけて高電圧のかかる太いハーネスが不要になる。したがって、ワイヤーハーネス２６と同経路の配線をする必要が無くなり、ストロボ装置１全体の小型化を可能となる。さらに、高電圧ハーネスからのノイズをワイヤーハーネス２６が受けることが無くなり、安定したストロボ制御が可能になる。また、各回転部を通過する配線の処理が容易となるだけでなく、旋回回転時の断線の可能性を減らすことが可能である。
【００２９】
また、メインＩＧＢＴ１０６は２本の高電圧ハーネス５８によってキセノン管５２と接続されているが、これらの２本の高電圧ハーネス５８の長さは略等しいほうが好ましい。上述したように、メインＩＧＢＴ１０６を発光ユニット５３の左右方向の略中央に配置することで、２本の高電圧ハーネス５８の長さを略等しくすることができる。
【００３０】
なお、メインＩＧＢＴ１０６の位置は、図７に示す変形例のようにフード５６の下側に限定されない。例えば、図７（ａ）及び（ｂ）に示すように、メインＩＧＢＴ１０６をフード５６の上側、モーターユニット１８をフード５６の下側に配置しても構わない。このような構成では、フード５６の上側に上述したＢＡ検知基板１０１やＣＦ検知基板１０２が存在しないため、発光ユニット５３の左右方向においてメインＩＧＢＴ１０６を配置する位は特に限定されない。ただし、メインＩＧＢＴ１０６とキセノン管５２とを接続する２本の高電圧ハーネス５８の長さを略等しくすることを考慮すると、フード５６の上側であってもメインＩＧＢＴ１０６を発光ユニット５３の左右方向の略中央に配置することが好ましい。
【００３１】
以上、本発明の好ましい実施形態について説明したが、本発明はこれらの実施形態に限定されず、その要旨の範囲内で種々の変形及び変更が可能である。
【符号の説明】
【００３２】
１  ストロボ装置
２  ヘッド部
３  制御部
４  光学パネル
５２  キセノン管
５３  発光ユニット
６０  ヘッド基板
１０１  ＢＡ検知基板
１０２  ＣＦ検知基板
１０６  メインＩＧＢＴ
１０７  トリガーＩＧＢＴ
【図１】
2017068068.tif 000003
【図２】
2017068068.tif 000004
【図３】
2017068068.tif 000005
【図４】
2017068068.tif 000006
【図５】
2017068068.tif 000007
【図６】
2017068068.tif 000008
【図７】
2017068068.tif 000009
【図８】
2017068068.tif 000010
【図９】
2017068068.tif 000011